(57)【特許請求の範囲】
【請求項１】
プリンタにおいて、印刷用紙の紙幅に合わせて位置が変更され、印刷用紙の両方の側部を挟んで保持する一対の用紙ガイドを、挟み込んで保持する用紙ガイド保持装置であって、
前記一対の用紙ガイドの一方に押し当てられる第１基部、及び第１長穴が設けられた第１連結部を有する第１部材と、
前記一対の用紙ガイドの他方に押し当てられる第２基部、及び第２長穴が設けられた第２連結部を有する第２部材と、
前記第１長穴と前記第２長穴とを貫通し、前記第１部材と前記第２部材とを締め付ける締結部材と、
を備え、
前記第１部材と前記第２部材とは、
前記締結部材の締め付けを緩めた状態で、前記印刷用紙の紙幅に応じて位置が変化する前記一対の用紙ガイドに合わせて、前記第１基部と前記第２基部との間隔を調整可能であり、
前記用紙ガイド保持装置が前記プリンタにセットされた状態において、前記第１基部と前記第２基部とが前記一対の用紙ガイドにそれぞれ押し当てられ、前記一対の用紙ガイドの外側面を挟み込んで保持し、前記締結部材により締め付けられ固定される、用紙ガイド保持装置。
【請求項２】
前記締結部材がねじ嵌合するねじ穴と把持部とを有する第３部材を更に備え、
前記締結部材は、前記第３部材の前記ねじ穴とねじ嵌合することで、前記第１連結部及び前記第２連結部を前記締結部材と前記第３部材との間に挟んだ状態で締め付けることが可能であり、
前記把持部により、前記用紙ガイド保持装置は前記プリンタへの取り付け、または取り外しが可能に構成されている、請求項１に記載の用紙ガイド保持装置。
【請求項３】
前記第１基部と、前記第２基部とは、前記第１基部と、前記第２基部の前記一対の用紙ガイド側のそれぞれの面に弾性部材を有している、請求項１または請求項２に記載の用紙ガイド保持装置。
【請求項４】
前記第１連結部と前記第２連結部との少なくとも何れか一方は、前記第１基部と前記第２基部との間隔に対応した表示を示す見当表示部を有している、請求項１〜請求項３の何れか一項に記載の用紙ガイド保持装置。
【発明の詳細な説明】
【技術分野】
【０００１】
本発明は、プリンタに載置された印刷用紙を挟んで保持する一対の用紙ガイドを保持する用紙ガイド保持装置に関する。
【背景技術】
【０００２】
従来、書面を印刷する時には、ＰＣ等に接続されたプリンタに印刷用紙をセットして印刷している。プリンタの給紙トレイには、印刷用紙の両方の側部を保持する一対の用紙ガイドが設けられている。一対の用紙ガイドは、印刷用紙の紙幅に合わせて移動可能に配置されている。印刷用紙をセットする際には、一対の用紙ガイドを移動して、一対の用紙ガイドの間隔がセットされる印刷用紙の紙幅より大きくされる。一対の用紙ガイドの間に複数の印刷用紙が重ねられて置かれ、一対の用紙ガイドが、印刷用紙の両方の側部に接触するまで、互いの間隔を狭める方向に移動される。印刷用紙は、一対の用紙ガイドに挟まれ、重ねられた複数の印刷用紙が揃えられて保持される。特許文献１には、用紙ガイドであるサイドガイド８０が設けられたプリンタ機能を有する複合機が開示されている。
【先行技術文献】
【特許文献】
【０００３】
【特許文献１】特開２０１８−１６７９９３号公報
【発明の概要】
【発明が解決しようとする課題】
【０００４】
しかしながら、印刷用紙をセットした後、印刷を開始すると、印刷にともなうプリンタの振動により一対の用紙ガイドが移動し、重ねて置かれた印刷用紙は、互いに徐々にずれることがあった。また、印刷用紙を挟み込んで保持する一対の用紙ガイドがうまくセットされず、印刷用紙の両方の側部に隙間なくあたっていない状態であることもあった。このような状態の場合、文字やマークが印刷用紙ごとにずれて印刷されてしまうことがある。しかし、体裁よく印刷したい場合、例えば名刺印刷では、印刷文字やマークを全ての名刺で同じ位置に美しく印刷されることが好ましい。このため、重ねた複数の印刷用紙が常に揃えられて載置された状態に保持されることが望まれていた。
【０００５】
本発明は、上記課題を解決するためにされたものである。すなわち、本発明は、給紙トレイに載置された印刷用紙を揃えた状態で確実に保持できる用紙ガイド保持装置を提供することを目的としている。
【課題を解決するための手段】
【０００６】
本発明の用紙ガイド保持装置は、第１部材と、第２部材とを備え、第１部材は、第１基部と、第１基部に固定されている第１連結部とを有し、第２部材は、第２基部と、第２基部に固定されている第２連結部とを有し、第１部材と第２部材とは、締結部材の締め付けを緩めた状態で、印刷用紙の紙幅に応じて位置が変化する用紙ガイドに合わせて、第１基部と第２基部との間隔を調整可能であり、用紙ガイド保持装置がプリンタにセットされている時には、第１部材と、第２部材とは、締結部材が締め付けられて互いに固定されており、第１基部と、第２基部とは、印刷用紙に対して反対面である一対の用紙ガイドの外側面をそれぞれ保持している。
【０００７】
また、本発明の用紙ガイド保持装置は、第１連結部は、締結部材が貫通する第１長穴が設けられ、第２連結部は、締結部材が貫通する第２長穴が設けられていてもよい。
【０００８】
また、本発明の用紙ガイド保持装置は、把持部を有し、締結部材がねじ嵌合する第３部材を有していてもよい。
【０００９】
また、本発明の用紙ガイド保持装置において、第１基部と、第２基部とは、第１基部と、第２基部の一対の用紙ガイド側のそれぞれの面に弾性部材を有していてもよい。
【００１０】
また、本発明の用紙ガイド保持装置において、第１連結部と、第２連結部との少なくとも何れか一方は、第１基部と、第２基部との間隔に対応した表示を示す見当表示部が設けられていてもよい。
【００１１】
したがって、本発明の用紙ガイド保持装置は、給紙トレイに載置された印刷用紙を揃えた状態で確実に保持することができる。
【図面の簡単な説明】
【００１２】
【図１】本発明の実施の形態に係る用紙ガイド保持装置を示した斜視図である。
【図２】図１の用紙ガイド保持装置を示した上面図である。
【図３】図１の用紙ガイド保持装置を示した側面図である。
【図４】図１の用紙ガイド保持装置を示した背面図である。
【図５】図１の用紙ガイド保持装置において、図１とは異なる紙幅に調整された状態を示す上面図である。
【図６】図１の用紙ガイド保持装置が備える各部材の単体状態を示した斜視図である。
【図７】図１の用紙ガイド保持装置がセットされるプリンタの全体を示す斜視図である。
【図８】図７のプリンタにおいて、印刷用紙をセットした状態の給紙トレイを示す拡大斜視図である。
【図９】図８のプリンタにおいて、本実施の形態に係る用紙ガイド保持装置をセットした状態の給紙トレイを示す拡大斜視図である。
【発明を実施するための形態】
【００１３】
＜実施の形態＞
図１〜図５は、本発明の実施の形態に係る用紙ガイド保持装置１０の各状態を示している。用紙ガイド保持装置１０に関する各図面は、図１は斜視図、図２は上面図、図３は側面図、図４は背面図、図５は図１とは異なる紙幅に調整された状態を示す上面図である。また、図６は、用紙ガイド保持装置１０に備えられる各部材の単体状態を示した斜視図である。
【００１４】
用紙ガイド保持装置１０は、後述するように、プリンタ１００の給紙トレイ１０４にセットされて用いられる。図７〜図９には、プリンタ１００、及び、プリンタ１００にセットされた状態の用紙ガイド保持装置１０が示されている。図７はセットされるプリンタ１００の全体を示す斜視図、図８は印刷用紙Ｌをセットした状態のプリンタ１００の給紙トレイ１０４を示す拡大斜視図、図９は図８に示されている給紙トレイ１０４に設けられている用紙ガイド１０６ａ、１０６ｂを挟み込んで本実施の形態の用紙ガイド保持装置１０がセットされた状態を示す拡大斜視図である。
【００１５】
本実施の形態に係る用紙ガイド保持装置１０は、第１部材１１と、第１部材１１に連結される第２部材３１と、第１部材１１と第２部材３１とを連結する締結部材７１と、締結部材７１が第１部材１１と第２部材３１とを挟んだ状態で嵌合する第３部材５１と、締結部材７１と第３部材５１との間に配置されているワッシャ９１とを備えている。
【００１６】
第１部材１１は、給紙トレイ１０４上に載せられる第１基部１６と、第１基部１６に固定されている第１連結部１２とを有している。
【００１７】
第１基部１６は、給紙トレイ１０４上に載せられるとともに、給紙トレイ１０４に設けられている一方の用紙ガイド１０６ａを押圧する部材である。第１基部１６は、給紙トレイ１０４に置かれる第１水平部２０と、第１水平部２０の一方端に接続されている第１垂直部１９と、第１垂直部１９の用紙ガイド１０６ａ側の面に設けられている第１弾性部材２１とを有している。第１弾性部材２１の材質は、弾力性が有り、第１垂直部１９に固定できるクッション材であれば、適宜選択できる。第１弾性部材２１は、例えばテープ状に形成された発泡ポリエチレンの一方面に粘着テープを貼付した発泡ポリエチレン製粘着テープである。第１基部１６は、図３の側面図に示されているように、第１水平部２０と、第１垂直部１９とが直角に接続されて、断面Ｌ字状に形成されている。
【００１８】
前述したように、用紙ガイド保持装置１０は、第１部材１１と、第２部材３１が連結された状態で、プリンタ１００の用紙ガイド１０６ａ、１０６ｂを挟み込んで保持する。第１弾性部材２１は、用紙ガイド保持装置１０が給紙トレイ１０４に設けられている一方の用紙ガイド１０６ａに接してセットされた状態において、押圧力を用紙ガイド１０６ａに加えることができる。
【００１９】
第１基部１６は、長手方向において、第１の一端部１７と、第１の他端部１８とを有している。第１の一端部１７には、後述するように、第２部材３１の第２連結部３２が差し込まれる第１挿入穴２２が設けられている。
【００２０】
第１の一端部１７には、第１連結部１２が固定されている。第１連結部１２は、長方形の板状部材であり、第１の一端部１７側の第１基端部１４と、先端側の第１先端部１３とを有している。第１の一端部１７は、ほぼ全長にわたって第１長穴１５が設けられている。第１長穴１５は、第１部材１１と、第２部材３１とを連結する締結部材７１が貫通する穴である。
【００２１】
図２、及び図５に示されているように、第１連結部１２と、第２連結部３２との上面には、第１基部１６と、第２基部３６との間隔Ｍに対応した表示を示す見当表示部１２ａ、３２ａが設けられている。見当表示部１２ａ、３２ａは、印刷用紙Ｌの紙幅に対応する、第１基部１６と、第２基部３６との間隔Ｍを調整するための目安を示している。見当表示部１２ａ、３２ａは、目盛り、位置マーキング、印、それらの組み合わせ等、第１基部１６と、第２基部３６との間隔Ｍの目安を示すものであれば、何れでもよい。見当表示部１２ａ、３２ａは、第１連結部１２と、第２連結部３２との上面に、塑性加工、ペイント、ピアシング、彫刻、等、いずれかの方法で形成されている。
【００２２】
第１基部１６と、第１連結部１２とは、第１部材１１を一体的に形成している。第１部材１１は、薄板のＳＵＳ材を折曲げ加工することにより形成されている。
【００２３】
第２部材３１は、給紙トレイ１０４上に載せられる第２基部３６と、第２基部３６に固定されている第２連結部３２とを有している。第２部材３１は、第１部材１１に対し、ほぼ対称形に形成されている。
【００２４】
第２基部３６は、給紙トレイ１０４上に載せられるとともに、給紙トレイ１０４に設けられている他方の用紙ガイド１０６ｂを押圧する部材である。第１基部１６は、給紙トレイ１０４に置かれる第２水平部４０と、第２水平部４０の一方端に接続されている第２垂直部３９と、第２垂直部３９の用紙ガイド１０６ｂ側の面に設けられている第２弾性部材４１とを有している。第２弾性部材４１の材質は、弾力性が有り、第１垂直部１９に固定できるクッション材であれば、第１弾性部材２１と同じ発泡ポリエチレン製粘着テープ等を適宜選択できる。
第２基部３６は、図３の側面図に示されているように、第２水平部４０と、第２垂直部３９とが直角に接続されて、断面Ｌ字状に形成されている。
【００２５】
第２弾性部材４１は、用紙ガイド保持装置１０が給紙トレイ１０４に設けられている他方の用紙ガイド１０６ｂに接してセットされた状態において、押圧力を用紙ガイド１０６ｂに加えることができる。
【００２６】
用紙ガイド保持装置１０は、一対の用紙ガイド１０６ａ、１０６ｂを挟み込むようにセットされる。第１基部１６に設けられている第１弾性部材２１と、第２基部３６に設けられている第２弾性部材４１とで一対の用紙ガイド１０６ａ、１０６ｂを挟み込むことで、用紙ガイド保持装置１０は、両方の外側から一対の用紙ガイド１０６ａ、１０６ｂを押圧力を加えながら、確実、かつ安定して保持することができる。また、印刷用紙の用紙ごとの幅寸法の誤差を吸収することができる。
【００２７】
第２基部３６は、長手方向において、第２の一端部３７と、第２の他端部３８とを有している。
【００２８】
第２の一端部３７には、第２連結部３２が固定されている。第２連結部３２は、長方形の板状部材であり、第２の一端部３７側の第２基端部３４と、先端側の第２先端部３３とを有している。第２の一端部３７は、ほぼ全長にわたって第２長穴３５が設けられている。第２長穴３５は、第１部材１１と、第２部材３１とを連結する締結部材７１が貫通する穴である。
【００２９】
第２基部３６と、第２連結部３２とは、第２部材３１を一体的に形成している。第２部材３１は、薄板のＳＵＳ材を折曲げ加工することにより形成されている。金属の薄板で形成することで、強度を有しながら薄く作ることができる。高さ方向にあまり余裕がない給紙トレイ内に収容する大きさとするのに好都合である。
【００３０】
第３部材５１は、第１部材１１と、第２部材３１とを連結する締結部材７１が嵌合する部材である。第３部材５１は、平板状の第３本体部５２と、第３本体部５２の一方端に垂直に接続されている把持部５３と、第３本体部５２の他方端に垂直に接続されている端部５４とを備えている。第３本体部５２には、締結部材７１が嵌合するねじ穴５５が２つ形成されている。用紙ガイド保持装置１０は把持部５３を有しているため、把持部５３を持って容易かつ確実に、プリンタ１００への取り付け、取り外しをすることができる。又は、第３部材に代えて、締結部材７１の数に対応したナットが設けられ、後述する締結部材７１がナットにそれぞれ締結する構成としても良い。
【００３１】
第１部材１１と、第２部材３１とを連結する締結部材７１は、雄ねじである。締結部材７１の一端部は、円柱状に形成され、円周面にローレット形状を設けられた頭部７２が設けられている。締結部材７１は、ローレット形状を設けられた頭部７２を有するので、第１部材１１と、第２部材３１との連結時に締め付ける際に、工具を用いずに素手で容易に締め付けることができる。締結部材７１は、２つ用いられている。
【００３２】
ワッシャ９１は、締結部材７１と、第１部材１１の第１連結部１２との間に挿入されている。ワッシャ９１は、ナイロン、等の樹脂で形成されている。ワッシャ９１は、締結部材７１と、第１部材１１の第１連結部１３との間に挿入されていることで、締結部材７１の締結力を第１連結部１２に均一に伝えるとともに、締結部材７１による第１連結部１２の傷つきを防止する。さらに、ワッシャ９１は樹脂製であるので、圧縮時に適度な弾性がある。そのため、素手で締結部材７１を締め付けた時に、締め付けトルクが急激に立ち上がることがない。したがって、徐々に締め付けることができることで、素手で容易に締めつける助けとなる。ワッシャ９１は、本実施の形態では、１つの締結部材７１あたり２つ用いられている。締結部材７１は、２つのワッシャ９１、第１連結部１２、第２連結部３２、第３本体部５２の順で締結されている。
【００３３】
本実施の形態の用紙ガイド保持装置１０は、印刷用紙Ｌの紙幅に合わせて位置が変更され得る用紙ガイド１０６ａ、１０６ｂを押圧できるように、第１基部１６と、第２基部３６との間の幅を調整可能に構成されている。第１連結部１２と、第２連結部３２との締結部材７１が貫通する穴は、上記の通り、それぞれ第１長穴１５と、第２長穴３５が形成されている。そのため、長穴に挿入された締結部材７１が移動できる範囲で、第１基部１６と、第２基部３６との間隔Ｍを変更することが可能である。図２は、第１基部１６と、第２基部３６との間隔Ｍをほぼ最小にセットした場合が示されている。一方、図５は、第１基部１６と、第２基部３６との間隔Ｍを大きくセットした場合が示されている。プリンタに使用できる印刷用紙Ｌの紙幅のいずれにも調整可能である。具体的には、名刺サイズの５５ｍｍ以上、はがきサイズの１００ｍｍ、往復はがきサイズの１４８ｍｍ、Ｂ５の１８２ｍｍ、Ａ４の２１０ｍｍ、Ａ３の２９７ｍｍ、等を含め、最大可能幅の範囲における任意の紙幅に調整可能である。
【００３４】
次に、本実施の形態の用紙ガイド保持装置１０をセットするプリンタ１００について、図７〜図８を参照しながら、説明する。なお、用紙ガイド保持装置１０は、オフィス用であり、印刷用紙Ｌの幅を保持する一対の用紙ガイドを有するプリンタであれば使用できるように構成されている。
【００３５】
図７には、プリンタ１００の全体が示されている。プリンタ１００は、操作部１０１と、フロントカバー１０３と、給紙トレイ１０４と、用紙ガイド１０６ａ、１０６ｂと、用紙載置部１０７と、排紙トレイ１０８とを備えている。
【００３６】
操作部１０１は、電源スイッチ１０２を有するとともに、プリンタ１００の各種設定が行える操作ボタン類が設けられている。プリンタ１００は、一側面に開閉可能なフロントカバー１０３を備えている。フロントカバー１０３は、内面に給紙トレイ１０４が設けられており、フロントカバー１０３を開くことで、給紙トレイ１０４が現れる。給紙トレイ１０４は、複数の案内溝１０５を有している。給紙トレイ１０４には、用紙ガイド１０６ａ、１０６ｂが、案内溝１０５にそれらの一部が嵌め合わされ、案内溝１０５に沿って移動可能な状態で配置されている。プリンタ１００の上面には、印刷された印刷用紙Ｌが排出されて載置される排紙トレイ１０８が設けられている。
【００３７】
次に、プリンタ１００に、本実施の形態の用紙ガイド保持装置１０をセットする手順を説明する。まず、プリンタ１００のフロントカバー１０３を開き、給紙トレイ１０４を露出させる。給紙トレイ１０４に設けられている一対の用紙ガイド１０６ａ、１０６ｂの間隔Ｍが、印刷用紙Ｌの紙幅以上になるように移動させる。一対の用紙ガイド１０６ａ、１０６ｂの間に、印刷用紙Ｌを重ねて載置する。その後、一対の用紙ガイド１０６ａ、１０６ｂが印刷用紙Ｌの両方の側部にあたるように、一対の用紙ガイド１０６ａ、１０６ｂを移動させて、印刷用紙Ｌを両側から挟み込む。
【００３８】
次に、用紙ガイド保持装置１０をセットする。用紙ガイド保持装置１０の締結部材７１を緩め、第１基部１６と第２基部３６との間隔Ｍを、印刷用紙Ｌを挟み込んだ状態の一対の用紙ガイド１０６ａ、１０６ｂの幅より大きくする。その状態で、用紙ガイド保持装置１０で一対の用紙ガイド１０６ａ、１０６ｂを外側から挟むように、給紙トレイ１０４にセットする。用紙ガイド保持装置１０を給紙トレイ１０４上に載置したら、一対の用紙ガイド１０６ａ、１０６ｂに接するように、第１基部１６と第２基部３６との間隔Ｍを狭める。第１基部１６を用紙ガイド１０６ａに、第２基部３６を用紙ガイド１０６ｂにそれぞれ押し当てた状態で締結部材７１を締め付け、第１部材１１と、第２部材３１とを互いに確実に固定する。以上により、用紙ガイド保持装置１０がプリンタ１００に取り付けられる。この状態で、印刷用紙Ｌへの印刷を行う。
【００３９】
本実施の形態の用紙ガイド保持装置１０は、第１部材１１と、第２部材３１とを備え、第１部材１１は、第１基部１６と、第１基部１６に固定されている第１連結部１２とを有し、第２部材３１は、第２基部３６と、第２基部３６に固定されている第２連結部３２とを有し、用紙ガイド保持装置１０がプリンタ１００にセットされている時には、第１部材１１と、第２部材３１とは、締結部材７１が締め付けられて互いに固定されており、第１基部１６と、第２基部３６とは、印刷用紙Ｌに対して反対面である一対の用紙ガイド１０６ａ、１０６ｂの外側面をそれぞれ保持している。
【００４０】
このような構成により、本発明の用紙ガイド保持装置１０は、給紙トレイ１０４に載置された印刷用紙Ｌを揃えた状態で確実に保持することができる。
【００４１】
また、本実施の形態の用紙ガイド保持装置１０において、第１連結部１２は、締結部材７１が貫通する第１長穴１５が設けられ、第２連結部３２は、締結部材７１が貫通する第２長穴３５が設けられていてもよい。
【００４２】
このような構成により、印刷用紙の紙幅に応じて位置が変化する一対の用紙ガイド１０６ａ、１０６ｂに合わせて、締結部材７１を緩めた状態で、第１基部１６と、第２基部３６との相対位置を調整でき、多様な紙幅の印刷用紙Ｌに対応することができる。
【００４３】
また、本実施の形態の用紙ガイド保持装置１０は、把持部５３を有し、締結部材７１がねじ嵌合する第３部材５１を有していてもよい。
【００４４】
このような構成により、紙幅に合わせて調整した状態を容易、かつ確実に維持できるとともに、持ちやすくてセットしやすい用紙ガイド保持装置１０とすることができる。
【００４５】
また、本実施の形態の用紙ガイド保持装置１０の、第１基部１６と、第２基部３６とは、第１基部１６と、第２基部３６との一対の用紙ガイド１０６ａ、１０６ｂ側のそれぞれの面に弾性部材２１、４１を有していてもよい。
【００４６】
このような構成により、一対の用紙ガイド１０６ａ、１０６ｂに押圧力を付与させた状態にできるので、確実、かつ安定した状態で保持できる。
【００４７】
また、本実施の形態の用紙ガイド保持装置１０は、第１連結部１２と、第２連結部３２との少なくとも何れか一方は、第１基部１６と、第２基部３６との間隔Ｍに対応した表示を示す見当表示部１２ａ、３２ａが設けられていてもよい。
【００４８】
このような構成により、用紙ガイド保持装置１０の幅を調整する際の幅の見当付けができ、短時間で用紙ガイド保持装置１０をセットすることができる。
【符号の説明】
【００４９】
１０  用紙ガイド保持装置、１１  第１部材、１２  第１連結部、
１２ａ，３２ａ  見当表示部、１５  第１長穴、１６  第１基部、
２１  第１弾性部材、３１  第２部材、３２  第２連結部、３５  第２長穴、
３６  第２基部、４１  第２弾性部材、５１  第３部材、５３  第３把持部、
７１  締結部材、Ｌ  印刷用紙。
【図１】
0006971352.tif 000002
【図２】
0006971352.tif 000003
【図３】
0006971352.tif 000004
【図４】
0006971352.tif 000005
【図５】
0006971352.tif 000006
【図６】
0006971352.tif 000007
【図７】
0006971352.tif 000008
【図８】
0006971352.tif 000009
【図９】
0006971352.tif 000010